(57)【要約】【課題】撮像素子からの熱を効率良く放熱するとともに、組み立て作業性、組み立て精度が良く、小型化が可能なデジタルカメラを提供する。【解決手段】撮像素子２０の背面側に放熱板５０が当接して配置される。撮像素子２０は、回路基板６０に半田付けされ、回路基板６０はネジ５２ａにより放熱板５０に固定される。放熱板５０は金属製で、略コ字形状をしている。放熱板５０の撮像素子２０が当接している面に、撮影レンズ１１がネジ５３ａにより固定される。放熱板５０には、さらに回路基板６１、６２がネジ固定される。さらに液晶モニタからなる表示部１７が放熱板に固定される。撮像素子２０、撮影レンズ１１、回路基板６０、６１、６２および表示部１７が固定され一体化された放熱板５０に、デジタルカメラの外装カバーである前カバー３０と後カバー３１がネジ固定される。【選択図】　図４
2004104632.tif 000002
【特許請求の範囲】
【請求項１】
被写体の像を形成する光学系と光学系を保持する構造部材とからなる撮影レンズと、撮影レンズによって得られた像を電気信号に変換する撮像素子と、撮像素子を実装する第１の回路基板と、第１の回路基板とは異なる第２の回路基板とを有するデジタルカメラであって、撮像素子の背面に当接するよう配置された金属製の放熱板を有し、上記放熱板は第１の回路基板より大きな面積を持ち、上記放熱板に撮影レンズの構造部材と第２の回路基板とが固定されることを特徴とするデジタルカメラ。
【請求項２】
前記撮影レンズと前記第２の回路基板とが固定された前記放熱板を内部に収納する外装カバーを有し、前記放熱板に上記外装カバーが固定されることを特徴とする請求項１記載のデジタルカメラ。
【請求項３】
使用者が指示を与えるための操作部材を有し、前記放熱板に固定された前記第２の回路基板に操作部材が配置されることを特徴とする請求項１または２記載のデジタルカメラ。
【発明の詳細な説明】
【０００１】
【発明の属する技術分野】
本発明は、デジタルカメラに関し、特にＣＣＤ（Ｃｈａｒｇｅ　Ｃｏｕｐｌｅｄ　Ｄｅｖｉｃｅ）などの撮像素子からの熱を効率良く放熱するとともに、組み立て作業性、組み立て精度の良いデジタルカメラに関する。
【０００２】
【従来の技術】
【特許文献１】特開２００１−３２６８４０号公報（００３３段落、００３９段落、図１０）
【特許文献２】特開２００１−１７７０２３号公報（第２頁、図１２）
【特許文献３】特開２００２−７２３２１号公報
近年、デジタルカメラ等の電子カメラはより高精細な画像が要求されており、撮像素子の画素数はどんどん増えている（高画素化）。撮像素子の高画素化とともに、操作性の向上や、撮影速度を上げるために撮像素子、信号処理回路ともに駆動クロックが上がり、発熱量が増加する傾向にある。その結果、撮像素子は７０℃程度まで温度が上昇する。
【０００３】
ＣＣＤ等の撮像素子は、温度が上がることで、撮像素子に光が当たらなくても流れる暗電流が増加する。その結果、低輝度撮影を行った場合、暗電流によるノイズのためザラザラとした画像となり、画像品質を落とすことになる。そのため、高画素撮像素子の性能を十分に生かすことが出来ない。
【０００４】
そこで、撮像素子で発生する熱を放熱するための技術が開発されており、その一例が特許文献１に記載されている。特許文献１記載の技術では、熱伝達板が撮像素子に近接して配置され、撮像素子で発生した熱を、熱伝達板が伝達し、直接あるいは弾性変形可能な熱伝達部材を介して、金属からなる撮像装置の筐体内部に放熱している。
【０００５】
一方、デジタルカメラは、撮影レンズや回路基板、メモリカード用スロット等の部材が各種取り付け金具を介して互いに結合され、その結合された部品に外装カバーが取り付けられ組み立てられる。
【０００６】
あるいは、特許文献３に記載されているように、レンズユニットと回路基板とは、樹脂製の取り付けフレーム（特許文献３においてはメインフレームと呼称）を挟んで該取り付けフレームにそれぞれ固定されている。
【０００７】
また、各種ボタンやダイヤル等の操作部材は、外装カバーに取り付けられ、操作部材と回路基板との電気的な接続はコネクタおよびハーネス等を用いて行われる。
【０００８】
【発明が解決しようとする課題】
ところが、特許文献１記載の撮像素子の放熱構造では、撮像素子に対し大きな放熱板を使用し、その放熱板を筐体と熱的接続することで、より大きな放熱効果を得ているが、放熱板とその取り付けの分、部品点数が増加し、その結果組み立て作業性は低下すると考えられる。また、放熱効果をより高めるためには放熱板をより大きくする必要があるが、そうすると小型化の妨げになる。
【０００９】
一方、デジタルカメラの組み立てに関し、各種取付金具を介して互いの部品を結合する場合には、組み立て作業が複雑になり、また取り付け金具の部品誤差が積算されて組み立てられる。その結果、外装カバーを取り付けたときに、外装カバーと内部部品間の相対的な位置ずれが生じる。外装カバーから露出する操作ボタン等は、外装カバーに設けられた開口の位置とずれが生じると見栄えが悪くなり、特に撮影レンズが外装カバーの開口に対して偏って組み立てられると、外観品質を大きく低下させてしまう。酷い場合には操作ボタン等が外装カバーの開口に入らないため、組み立てることができなくなる。組み立てを容易にするためには外装カバーの開口の大きさを大きくすればよいが、無駄な隙間が増えるため外観上見栄えが悪く、また塵埃の侵入を起こし電子部品や光学部品に悪い影響を与えることになる。
【００１０】
操作部材を外装カバーにあらかじめ取り付けておくのは、上記で説明したように組み立て精度が低いからであり、そのため操作部材を外装カバーに取り付ける場合には、外装カバーに取り付けられた操作部材と回路基板とを電気的に接続するためコネクタやハーネスを使用する必要がある。外装カバーに取り付けられた操作部材と回路基板とを、コネクタ等を使用して接続する作業は、組み立て作業性を低下させ、またその材料費と併せてコスト高を招く。さらにコネクタやハーネスが占有する空間が必要となるため、デジタルカメラの小型化を妨げる。
【００１１】
また特許文献３に記載されているように、レンズユニットと回路基板の間にレンズユニットと回路基板をそれぞれ固定するための取り付けフレームを配置する構成もあるが、撮像素子の放熱のため放熱板を設けると、大型の放熱板と取り付けフレームが必要となりデジタルカメラの小型化を妨げるばかりでなく、放熱板が邪魔になり取り付けフレームへの他の部材への取り付けにも支障をきたすことになると考えられる。
【００１２】
本発明は、このような問題点に鑑み、撮像素子の放熱を十分に行うことのできる放熱構造を持つとともに、組み立て作業性および組み立て精度がよく、また小型化が可能なデジタルカメラを提供することを目的とする。
【００１３】
【課題を解決するための手段】
上記目的を達成するために、請求項１の発明では、被写体の像を形成する光学系と光学系を保持する構造部材とからなる撮影レンズと、撮影レンズによって得られた画像を電気信号に変換する撮像素子と、撮像素子を実装する第１の回路基板と、第１の回路基板とは異なる第２の回路基板とを有するデジタルカメラであって、撮像素子の背面に当接するよう配置された金属製の放熱板を有し、上記放熱板は第１の回路基板より大きな面積を持ち、上記放熱板に撮影レンズの構造部材と第２の回路基板とが固定される。
【００１４】
この構成により、撮像素子で発生した熱を、撮像素子が実装されている回路基板より大きな面積を持つ放熱板を通して、効率的に放熱することが出来る。さらに、放熱のため大型化した放熱板に、直接撮影レンズおよび回路基板を固定するため、互いの結合のための結合部品が必要なく、組み立て作業性が向上し、製造コストを抑えることができる。また結合部品（取り付けフレームを含む）が必要ないため、部品コストも抑えることができる。また、結合部品が占めていた空間を減少させることができるため小型化が可能となる。さらに、放熱板を取り付け基準として、撮像素子、撮影レンズ、回路基板が取り付けられているため、部品間の相対的な位置関係が保たれ、精度の良い組み立てを行うことができる。
【００１５】
請求項２の発明では、前記放熱板に前記外装カバーが固定される。
【００１６】
この構成では、放熱板を取り付けフレームとし、放熱板に撮影レンズと外装カバーが直接固定されているため、内部部品と外装カバーとの相対的な位置ズレが少なく、組み立て精度のよいデジタルカメラが得られる。その結果、例えば撮影レンズと外装カバーとの相対的な位置ズレの発生が抑えられ見栄えの良いデジタルカメラが得られる。さらに、外装カバーと撮影レンズの隙間を小さく出来るため、塵埃の侵入が抑えられる。
【００１７】
請求項３の発明では、使用者が指示を与えるための操作部材を有し、前記放熱板に固定された前記第２の回路基板に操作部材が配置される。
【００１８】
この構成は、請求項１および請求項２の発明により組み立て精度が向上したため可能になった構成であり、従来必要であった操作部材と回路基板との間のコネクタやハーネス等が必要ないため、組み立てを簡単に短時間に行うことが出来、製造コストを抑えることが出来る。また、部品コストも抑えることが出来る。さらに、コネクタやハーネス等に必要な空間が不必要になり、デジタルカメラの小型化を行うことができる。
【００１９】
【発明の実施の形態】
以下、本発明の実施形態において、図面を参照しながら説明する。なお、以下に示す実施形態の相互において、同一の部分や相当する部分には、同一の符号を付して重複説明を適宜省略する。
【００２０】
図１は本発明の実施形態に係るデジタルカメラ１の外部構成を模式的に示した図であり、図１（ａ）は正面側からの図であり、図１（ｂ）は背面側からの図である。
【００２１】
デジタルカメラ１は、前面に撮影レンズ１１、撮影対象の明るさを検出する測光センサ１２、撮影対象までの距離を検出する測距センサ１３、フラッシュ発光部１４、および光学ファインダ１５を、上面にレリーズボタン１６を、背面に液晶表示器より成る表示部１７を備えている。また背面には、スライド式の操作スイッチ１８、および押しボタン式の操作スイッチ１９も設けられている。
【００２２】
撮影レンズ１１後方の内部には撮像素子２０が配置されている（図２参照のこと）。デジタルカメラ１は、撮影対象からの光を撮影レンズ１１により撮像素子２０上に結像させ、撮像素子２０により光を電気信号に変換することによって画像を撮影する。撮像素子２０は多数の画素が２次元に配列されたカラーエリアセンサであり、撮像素子２０の各画素が出力する信号に所定の処理を施すことによって、撮影された画像を表す画像データが生成される。
【００２３】
デジタルカメラ１は、画像の撮影を行う撮影モードと、記録している画像データが表す画像を再生表示する再生モードとを有する。撮影モードにおいては、画像の撮影と画像データの生成を所定の周期（例えば１／３０秒）で繰り返しつつ、その間にレリーズボタン１６の操作によって与えられる記録指示に応じて、記録用の画像を撮影しその画像を表す画像データを生成して、生成した画像データを着脱可能なカード状のメモリカード１００に記録する。
【００２４】
記録指示がある前に生成された画像データは順次表示部１７に与えられ、各画像データの表す画像が表示部１７に表示される。これによりライブビューが提供される。メモリカード１００に記録される画像データも表示部１７に与えられ、その画像が表示される。この画像は他の画像よりも長時間表示され、記録する画像データの確認に利用される。
【００２５】
再生モードにおいては、メモリカード１００に記録されている画像データを読み出して表示部１７に与え、その画像データが表す画像を表示する。撮影モードと再生モードは、操作スイッチ１８の設定により切り替えられる。なお、図１においては、装着前のメモリカード１００を表しており、装着時にはカードスロットカバー１０１を開け、メモリカード１００全体をデジタルカメラ１内に収納する。
【００２６】
つぎにデジタルカメラ１の回路構成について説明する。図２はデジタルカメラ１の回路構成の概略を示す図である。デジタルカメラ１は、アナログ信号処理部２１、Ａ／Ｄコンバータ２２、デジタル信号処理部２３、画像メモリ２４、記録部２５、および制御部２６を備えている。
【００２７】
アナログ信号処理部２１は、撮像素子２０の出力するアナログ信号に相関二重サンプリング（ＣＤＳ）を行うことで画像信号のノイズの低減を行い、また自動ゲイン制御（ＡＧＣ）により画像信号のレベル調整を行う。Ａ／Ｄコンバータ２２は、信号処理部２１からのアナログ信号を１０ビットのデジタル信号に変換する。
【００２８】
デジタル信号処理部２３は、Ａ／Ｄコンバータ２２からのデジタル信号にホワイトバランス調整、色補間、γ補正等の諸処理を施して、撮像素子２０が撮影した画像を表す画像データを生成する。画像メモリ２４は、デジタル信号処理部２３が生成した画像データを記憶する。記録部２５は、メモリカード１００の入出力を司るインターフェースを備えており、画像データの記録および読み出しを行う。制御部２６はデジタルカメラ１の全体を制御する。制御部２６は、レリーズボタン１６および操作スイッチ１８、１９を含む操作部２７に接続されており、操作部２７を介して使用者より与えられる指示を制御に反映する。
【００２９】
つぎに、デジタルカメラ１における撮像素子の放熱構造について説明する。図３は、撮像素子２０を有する撮像素子ユニット５を示す図であり、（ａ）図は撮像素子ユニット５を撮像素子２０の入射面側から見た図であり、（ｂ）図は撮像素子ユニット５の（ａ）図で示すＢ−Ｂ線における断面図である。撮像素子ユニット５は、撮像素子２０と、撮像素子が半田付けされた回路基板６０と、回路基板６０より大きな面積を持つ放熱板５０により構成されている。まず、図３を用いて撮像素子ユニット５について説明する。
【００３０】
放熱板５０は金属製であり、例えばアルミ合金からなる。アルミ合金に限らず、例えばＳＵＳ（ステンレス）、銅合金、マグネシウム合金、亜鉛合金等であってもよい。また、放熱板５０は略コ字形状をしており、対向する面を持たない部分には撮像素子２０の電極リードを通すための穴５１、回路基板６０固定用のネジ穴５２および撮影レンズ取り付け用の穴５３をそれぞれ２箇所に有している。撮像素子２０は、電極リードを放熱板５０に接触しないよう穴５１に通し、背面側を放熱板５０の面５０ａに密着するよう配置される。これにより、撮像素子２０で発生した熱は撮像素子２０の背面側から放熱板５０に伝導し、さらに放熱板５０内を伝導し、放熱板５０の表面全体から放熱される。放熱板５０は回路基板６０より大きな面積を持っており、大きな放熱効果を持っている。なお、撮像素子２０と放熱板５０の間に、熱伝導性の両面テープ等のシート部材や、熱伝導性接着剤あるいは熱伝導性グリース等を配置あるいは塗布すると、ＣＣＤ２０背面から放熱板５０への熱伝導性が向上し、より大きな放熱効果が得られる。
【００３１】
回路基板６０は放熱板５０の背面側に配置される。回路基板６０は放熱板５０のネジ穴５２に対応する位置に回路基板固定用の穴を２箇所に有している。回路基板６０と放熱板５０は、ネジ５２ａを回路基板の固定穴に貫通させネジ穴５２に螺合することにより互いに結合される。これにより、回路基板６０は、放熱板５０を撮像素子２０との間に挟み込み固定される。
【００３２】
撮像素子２０はその電極リードを回路基板６０に半田付けされることにより電気的に接続され、かつ機械的に固定される。回路基板６０は外部接続用コネクタ６１を持ち他の回路基板と電気的に接続される。なお、放熱板と回路基板との間にも、放熱性向上のため熱伝導性シートや熱伝導性グリース等を配置あるいは塗布し、撮像素子のリードの持つ熱量や回路基板が発生する熱量を放熱板に効率良く伝導させてもよい。また、当然のことながら、放熱板と回路基板は電気的に絶縁されている。
【００３３】
続いて図３および図４を用いて、デジタルカメラ１の内部構造について説明する。図４は図１で示したデジタルカメラ１のＡ−Ａ線の位置での断面図である。特に断面を示す必要のない部材についてはハッチングを施していない。また、レンズは図示していない。
【００３４】
レンズ鏡胴１１１は、撮影レンズ１１の光学系を保持する構造部材１１１ａと光学ファインダー１５の光学部品（図示しない）を保持する構造部材１１１ｂとが一体的に樹脂成形されたもので、例えばガラスファイバー入りのポリカーボネイトからなる。レンズ鏡胴１１１の撮像素子側の端面はレンズ光軸と垂直な平面が形成されており、この平面に、放熱板５０の撮像素子２０裏面と当接する面５０ａが当接する。ネジ５３ａを撮影レンズ取り付け用の穴５３に貫通させ鏡胴１１１に設けられたネジ穴に螺合することにより、鏡胴１１１（撮影レンズ１１および光学ファインダー１５）と撮像素子ユニット５が結合される。穴５３は回路基板６０と重ならない部分に設けられており、ネジ固定を容易に行うことが出来る。
【００３５】
撮像素子２０は放熱板５０に密着する形で固定されており、鏡胴１１１は、撮像素子２０と放熱板５０が密着している平面部５０ａに固定されている。平面性が良くなく強度の弱い樹脂製の回路基板６０を介さず、平面性の優れる部材同士（鏡胴の端面と面５０ａ）が結合するため、撮像素子ユニット５は撮影レンズ鏡胴１１１にしっかりと固定され、経時変化等で位置ずれすることはない。さらに従来の、撮像素子が半田付けされた回路基板を鏡胴に直接ネジ固定する方法と比較して、撮像素子２０の、レンズ光軸に対する傾きやレンズ光軸方向の位置ずれは非常に小さく、またその誤差量も安定している。なお、このわずかな傾き誤差や光軸方向の位置ずれによって生じる撮影レンズ１１の片ボケや焦点ズレは、撮影レンズの一部のレンズ（例えば撮像素子２０に一番近いレンズ）を光軸に平行な方向や光軸に垂直な方向に移動させて固定する、あるいは光軸に対して傾けて固定することで補正する（移動機構、傾き機構および固定状態は図示しない）。撮像素子２０のレンズ光軸に対する傾きやレンズ光軸方向の位置ずれは非常に小さいため、補正する際のレンズの移動量や傾き量は、撮影レンズ１１の結像性能を劣化させない範囲のわずかな量である。
【００３６】
放熱板５０は、互いに対向する２面の側方端部（図３（ｂ）においては紙面奥方向と紙面手前方向の端部）の一部の領域を、面５０ａと平行になるように、内側に直角に曲げられた回路基板取り付け部５４を有している。回路基板取り付け部５４には回路基板をネジ固定するためのネジ穴が設けられている。本実施形態では３枚の回路基板が取り付けできるよう、３組の回路基板取り付け部が形成されている。
【００３７】
この回路基板取り付け部５４に回路基板６１、６２が順にネジ固定され、撮像素子ユニット５および撮影レンズ１１と回路基板とが一体化される。本実施形態では放熱板５０は板金曲げ加工により作製されるが、ダイキャスト製法等の成形法によって作製されてもよく、その加工方法は問わない。
【００３８】
回路基板６１、６２には、図２で示したＡ／Ｄコンバータ２２、デジタル信号処理部２３および制御部２６等を集積化したＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）６５や画像メモリ２４、メモリカード１００が挿入されるカードスロット（図示しない）等が配置されている。
【００３９】
なお、放熱板５０は撮像素子２０からの放熱のみならず、例えば発熱量の多いＡＳＩＣ６５に金属板を当接し、この金属板を放熱板５０と熱的に接続することで、ＡＳＩＣ６５の放熱を行うことも可能である。
【００４０】
さらに、押しボタン式操作スイッチ１９が配置された回路基板６３が回路基板取り付け部５４にネジ固定される。図４において、回路基板６３は表示部１７の紙面奥側に配置されていて取り付け状態が見えないため、図５に回路基板６３が放熱板５０に取り付けられた状態を示す。操作スイッチ１９が実装された回路基板６３が、放熱板５０の回路基板取り付け部５４に、上記説明と同様にネジ固定されている。回路基板に実装された操作スイッチ１９は、デジタルカメラ１の外装カバーである後カバー３１の開口部から操作のため露出している。
【００４１】
また、表示部１７も放熱板５０にネジ等で固定される。表示部１７は液晶表示器とその表示面を保護するカバーガラスから成り、それらの外形枠を押さえ込むホルダーにより保持されている。このホルダーが放熱板５０にネジ等により固定される（取り付け構造は図示しない）。
【００４２】
これらの回路基板６０、６１、６２、６３および表示部１７は、図示しないハーネスやフレキシブルプリント配線板（ＦＰＣ）等により互いに電気的に接続される。
【００４３】
以上説明したように、放熱板５０に、撮像素子２０、撮影レンズ１１、回路基板６１、６２、６３、および表示部１７が順に取り付けられることにより、デジタルカメラ１の内装部品が組み立てられる。なお本実施形態の場合、測光センサ１２、測距センサ１３およびフラッシュ発光部１４は鏡胴１１１に固定されている。
【００４４】
続いて、外装カバーの取り付けについて説明する。放熱板５０はカバー取り付け部５５を有し、カバー取り付け部５５は、放熱板５０の互いに対向する２面の先端部中央の領域を内側に直角に曲げて形成されている。
【００４５】
デジタルカメラ１の外装カバーは、正面側と背面側の２部品に分割されており、それぞれ前カバー３０と後カバー３１である。
【００４６】
放熱板５０の底部（図３（ｂ）の下側）およびカバー取り付け部５５にはネジ穴５６が形成されており、前カバー３０および後カバー３１は、そのネジ穴に対応する位置に固定穴が形成されている。外装カバーの固定穴にネジを貫通し放熱板のネジ穴５６にネジを螺合させることにより、外装カバーが、撮影レンズと回路基板等が固定され一体化した放熱板５０に固定される。
【００４７】
なお、放熱板５０は撮影レンズ、回路基板、外装カバー等を取り付けるための強度および剛性を有している。
【００４８】
さらに、例えば図４に示すように、放熱板５０以外の鏡胴１１１ｂ等に前カバー３０および後カバー３１がネジ止めされることで、より確実に固定される。
【００４９】
以上説明したように、撮影レンズ１１、回路基板６１、６２、６３、表示部１７が取り付けられ内装部品が一体化された放熱板５０に、外装カバー３０、３１がネジ止めされることでデジタルカメラ１が組み立てられる。
【００５０】
デジタルカメラ１は、取り付け基準である放熱板５０をフレーム部材として、撮影レンズ、撮像素子、回路基板、外装カバー等が熱的および機械的に接続、固定されている。従って、撮像素子、回路基板等で発熱した熱が直接放熱板５０に伝導し、効率的に放熱される。また、外装カバーと撮影レンズ等も熱的に接続されることにより、デジタルカメラ内部が外部温度と馴染みやすく、その結果、撮影レンズの温度特性による性能劣化も生じ難い。
【００５１】
撮影レンズ１１、表示部１７および押しボタン式操作スイッチ１９（回路基板６３）は放熱板５０を基準として取り付けられており、また前カバー３０および後カバー３１も放熱板５０を基準として取り付けられている。従って前カバー３０、後カバー３１と撮影レンズ１１、押しボタン式操作スイッチ１９との相対的な位置ズレはほとんど生じることがない。その結果、撮影レンズ１１と前カバー３０との隙間３０ａ（図４参照）が均等になり、前カバー３０の開口に対し撮影レンズ１１が偏って組み立てられることは無い。また、隙間３０ａを小さくできるため塵埃の侵入も起こりにくい。さらに、押しボタン式操作スイッチ１９とそれに対応するカバー３１の開口部との隙間３１ａ（図５参照）も小さくすることができ、デザイン的にも見栄えがよく、塵埃の侵入も起こりにくい。
【００５２】
また、押しボタン式操作スイッチ１９を回路基板上に配置しているため、電気接続のためのコネクタやＦＰＣ等が必要なく、コストの低下や省スペース化さらに組み立て工数の削減が可能となる。さらに、放熱板５０に撮像素子２０、回路基板６０、撮影レンズ１１、回路基板６１、６２、６３、表示部１７を順に取り付け、最後に外装部品である前カバー３０、後カバー３１を取り付けることでデジタルカメラ１の組み立てを行うことが出来、組み立て作業性が向上する。
【００５３】
なお、図３および図４で説明した放熱板５０は、略コ字形状をしているが、撮像素子２０と密着することで撮像素子により発生した熱を伝導し放熱する放熱機能と、撮影レンズ、回路基板および外装カバーが取り付けられる取り付けフレームの機能を持てば、いずれの形状であっても良い。例えば、略Ｌ字形状、図３において面５０ａの側部がコ字形状の対向する２面の側部に沿うように折り曲げられている形状、あるいはコ字形状の対向する２面のうちの片面がさらに外側に面５０ａと平行になるよう折り曲げられている形状等である。また、放熱板には、本実施形態で示した撮影レンズ、回路基板、表示部以外の他の部材が固定されても良い。また、放熱板に対する回路基板の取り付け形態も、上記実施形態に限ったものではない。本実施形態では３枚の回路基板が面５０ａと平行に順に重なるように配置されているが、例えば面５０ａに対して垂直に、あるいは傾いて取り付けられていても良い。また、全ての回路基板が放熱板に取り付けられていなくてもよく、一部の回路基板が鏡胴１１１等に取り付けられていてもよい。
【００５４】
【発明の効果】
以上説明したように、請求項１の発明では、撮像素子が実装されている回路基板より大きな面積を持ち撮像素子の背面に当接する金属性の放熱板に撮像レンズと回路基板が固定されている。この構成により、撮像素子で発生した熱を放熱板を通して放熱することが出来る。また、放熱板に直接、撮影レンズおよび回路基板を固定するため、互いの結合のための結合部品が必要なく、組み立て作業性が向上し、製造コストを抑えることができる。また部品同士を互いに結合する結合部品が必要ないため、あるいは取り付けのためのメインフレームを放熱板で代用するため、部品点数が削減でき、コスト低下と小型化が可能となる。さらに、放熱板を取り付け基準として、撮像素子、撮影レンズ、回路基板が取り付けられているため、部品間の相対的な位置関係が保たれ、精度の良い組み立てを行うことができる。
【００５５】
請求項２の発明では、撮影レンズと回路基板が固定された放熱板に、デジタルカメラの外装カバーが固定されている。この構成では、放熱板を取り付けフレームとし、放熱板に撮影レンズと外装カバーが固定されているため、撮影レンズと外装カバーの相対的な位置ズレが少なく、見栄えのよいデジタルカメラが得られる。また、外装カバーと撮影レンズの隙間を小さく出来るため、塵埃の侵入が抑えられる。
【００５６】
請求項３の発明では、放熱板に固定された回路基板に、使用者が指示を与える操作部材が配置されている。従来は操作部材が外装カバーに固定されていた。この構成は、請求項１および請求項２の発明により組み立て精度が向上したため可能になった構成であり、従来必要であった操作部材と回路基板との間のコネクタやハーネス等が必要ないため、組み立てを簡単に短時間に行うことが出来、製造コストを抑えることが出来る。また、部品コストも抑えることが出来る。さらに、コネクタやハーネス等に必要な空間が不必要になり、デジタルカメラの小型化を行うことができる。
【図面の簡単な説明】
【図１】本発明の実施形態に係るデジタルカメラ１の外部構成の模式図である。
【図２】デジタルカメラ１の回路構成の概略を示す図である。
【図３】撮像素子ユニット５を示す図である。
【図４】図１で示したデジタルカメラ１のＡ−Ａ線の位置での断面図である。
【図５】回路基板６３の取り付け状態を示す図である。
【符号の説明】
１　デジタルカメラ
１１　撮影レンズ
１２　測光センサ
１３　測距センサ
１４　フラッシュ発光部
１５　光学ファインダ
１６　レリーズボタン
１７　表示部
１８　操作スイッチ（スライド式）
１９　操作スイッチ（押しボタン式）
２０　ＣＣＤ
２１　アナログ信号処理部
２２　Ａ／Ｄコンバータ
２３　デジタル信号処理部
２４　画像メモリ
２５　記録部
２６　制御部
２７　操作部
３０　前カバー
３１　後カバー
５０　放熱板
５０ａ　放熱板５０の撮像素子２０と当接する面
５２ａ、５３ａ　ネジ
５４　回路基板取り付け部
６０、６１、６２、６３　回路基板
６５　ＡＳＩＣ
１００　メモリカード
１０１　カードスロットカバー
１１０　撮影光学系
１１１　鏡胴
１１１ａ　レンズ１１０を保持する鏡胴１１１の部材
１１１ｂ　光学ファインダー１５の光学部品を保持する鏡胴１１１の部材
【図１】
2004104632.tif 000003
【図２】
2004104632.tif 000004
【図３】
2004104632.tif 000005
【図４】
2004104632.tif 000006
【図５】
2004104632.tif 000007